(57)【要約】  【課題】掲示部の掲示状態を確実に保持可能とした上で、掲示部のよりスムースな折り畳み動作および立ち上げ動作を可能にする。  【解決手段】支持部５の一端を掲示部３に当該掲示部３の折り畳み方向と同方向へ回動可能に軸支する一方、他端を載置部４に前記掲示部３の折り畳み方向と同方向へ回動可能に軸支し、さらに、前記掲示部３側の端部を掲示部３の上下方向に沿って、または／および前記載置部４側の端部を載置部４の前後方向に沿ってスライド可能に支持するとともに、掲示部３の立設時において端部のスライドがロックされるようにした。  【選択図】図１
0003110499.tif 000002
【実用新案登録請求の範囲】
【請求項１】
各種看板を保持する掲示部と、当該掲示部を立設および折り畳み可能に支持する載置部と、前記掲示部と載置部とに亘って掲示部を支えるように配された支持部とを備えてなる掲示板において、
支持部の一端を前記掲示部に当該掲示部の折り畳み方向と同方向へ回動可能に軸支する一方、他端を載置部に前記掲示部の折り畳み方向と同方向へ回動可能に軸支し、さらに、前記掲示部側の端部を掲示部の上下方向に沿って、または／および前記載置部側の端部を載置部の前後方向に沿ってスライド可能に支持するとともに、掲示部の立設時において端部のスライドがロックされるようにしていることを特徴とする掲示板。
【考案の詳細な説明】
【技術分野】
【０００１】
本考案は、工事用看板や商業用看板さらには案内用看板等の各種看板を着脱可能に保持する掲示板に関する。
【背景技術】
【０００２】
本願考案に関連する各種看板を掲示するために用いられる掲示板の先行技術文献情報として下記の文献が有る。（特許文献１参照）
このものは、看板が保持される中央枠体と、この枠体を回動自在に支持する底部枠と、前記中央枠体を支える左右のステーからなっている。
また、左右のステーは、ほぼ中央部分から折れ曲がるようになっていて、前記中央枠体を倒しながらステーを折り曲げることによって掲示板が折り畳まれる構成になっている。
さらに、ステーを直線状にして中央枠体を支える状態にした際には、ステーの直線状態がロックされるようにしている。
【特許文献１】特開２００３-７６３０７号公報（〔００１７〕〜〔００５５〕、〔図４〕）
【考案の開示】
【考案が解決しようとする課題】
【０００３】
本考案は、掲示部の掲示状態を確実に保持可能とした上で、掲示部のよりスムースな折り畳み動作および立ち上げ動作を可能にするとを課題とし、この課題を解決した掲示板の提供を目的とする。  
【課題を解決するための手段】
【０００４】
上記目的を達成するために本考案が採用した技術的手段は、各種看板を保持する掲示部と、当該掲示部を折り畳み可能に支持する載置部と、前記掲示部と載置部とに亘って掲示部を支えるように配された支持部とを備えてなる掲示板において、支持部の一端を前記掲示部に当該掲示部の折り畳み方向と同方向へ回動可能に軸支する一方、他端を載置部に前記掲示部の折り畳み方向と同方向へ回動可能に軸支し、さらに、前記掲示部側の端部を掲示部の上下方向に沿って、または／および前記載置部側の端部を載置部の前後方向に沿ってスライド可能に支持するとともに、掲示部の立設時において端部のスライドがロックされるようにしたことである。（請求項１）
【０００５】
本考案における掲示板は、種類の異なる複数の看板を保持する形態のもの、一枚の看板を保持する形態のものいずれも含む。
また、掲示板に保持される看板の種類は、工事用、商業用、案内用等看板で使用されるもの全てを含む。
さらに、掲示部における看板を保持する部分の形状については、看板の各種形状に対応した形状とする。
本発明における支持部のスライド構造は、たとえば、掲示部または／および載置部にレールを設け、このレールに支持部の端部を嵌合する構造が挙げられる。
また、前記の支持部のスライド構造の場合、支持部の端部にローラーを設けて、このローラがレールに接触するように支持部の端部をレールに嵌合することによって、支持部の端部をスムースにスライドさせることができる。
また、支持部のスライド構造は、支持部の両端部がスライドする構造、支持部の両端部の何れか一方がスライドする構造いずれでもよい。  
本発明における支持部のロック構造は、たとえば、支持部の端部と掲示部または載置部とに亘ってボルトを貫通しナットで締める構造やピンを貫通する構造、あるいは、支持部の端部と掲示部または載置部とを係脱可能に係合する周知のロック構造が挙げられる。
【考案の効果】
【０００６】
本考案によれば、掲示部の折り畳み動作および立ち上げ動作に対応して支持部の端部がスライドするので、抵抗が少なく極めてスムースな掲示部の折り畳み動作および立ち上げ動作ができる。
また、掲示部の掲示状態ではロックされるので、この掲示状態を確実に保持することができる。
【考案を実施するための最良の形態】
【０００７】
以下、本考案を実施するための最良の形態を図面に基づいて説明する。
本形態の掲示板１は、看板（図示せず）を保持する掲示部３と、当該掲示部３を折り畳み可能に支持する載置部４と、前記掲示部３と載置部４とに亘って掲示部３を支えるように配された左右２本の支持部５とから構成されている。
なお、本形態で例示する掲示板は、上下方向に３個の看板を保持可能とするものであるが、本発明は本形態で例示する構成に限定するものではなく、３個未満保持可能とする構成、あるいは、左右方向に複数の看板を保持可能とする構成等が例示できる。
【０００８】
掲示部３は、四角形状の看板を複数保持可能に分割された周知の枠状のものである。
載置部４は、前記掲示部３と同様の周知の枠状のものであり、この前端に前記掲示部３の下端を折り畳みおよび立ち上げ方向（前後方向）に回動自在に軸支している。  
支持部５は、一本の棒状のものであり、その一端が前記載置部４の左右枠部４１，４２に前後方向回動自在に軸支され、他端が前記掲示部３の左右枠部３１，３２に上下方向スライド可能に嵌合されている。
【０００９】
スライド構造を詳述すると、前記左右枠部３１，３２に上下方向に沿うレール部３３が凹設され、当該レール部３３にスライド可能に嵌合するスライド部３４が前記支持部５の他端に設けられている。（図２，図３参照）
レール部３３は、スライド部３４が嵌合可能な溝状のものであり、さらに、このスライド部３４の両縁部には、嵌合されたスライド部３４の抜け止め用の抜け止め板３５，３６が突設され、当該抜け止め板３５，３６がスライド部３４の前面を抑えることによって、スライド部３４をレール部３３内に保持するようにしている。（図３参照）
スライド部３４は、前記支持部５の他端を前後方向回動自在に軸支してある。
また、スライド部３４には、当該スライド部３４のスライドを停止および停止解除するためのボルト６が備えられている。
【００１０】
ボルト６は、スライド部３４の前面からレール部３３の底部へ向けて貫通されている。
スライド部３４をスライド停止状態にするには、ボルト６を締め付けて、スライド部３４を前記抜け止め板方向３５，３６へ移動させるとともに、抜け止め板３５，３６に押し付けることによって、スライド部３４を停止状態にする。
スライド部３４をスライド可能状態にするには、ボルト６を緩めてスライド部３４を抜け止め板３５，３６から離すことによって、スライド部をスライド可能状態にする。
【００１１】
以下、本形態の折り畳み動作および立ち上げ動作を説明する。
折り畳み動作は、掲示部３の掲示状態からボルト６を緩めてロックを解除し、その状態で掲示部３を後方に倒すと、掲示部３の傾倒に対応して、支持部５の両端部が会同しながら、スライド部３４が下方にスライドすることによって折り畳まれる。（図４（ａ）ないし図４（ｃ）参照）
このとき、折り畳まれた状態においてボルト６を締め付けて、スライド部３４のスライドを停止させることによって、折り畳み状態を保持することができる。
立ち上げ動作は、前記折り畳み動作の逆を行えばよく、掲示部３を立ち上げた後にボルト６を締め付けることによって掲示状態を保持することができる。
【００１２】
なお、本考案は例示した実施例に限定されるものではなく、実用新案登録請求の範囲された内容から逸脱しない範囲で他の構成による実施が可能である。
【図面の簡単な説明】
【００１３】
【図１】本考案に係る掲示板の斜視図。
【図２】図１の要部拡大側面図。
【図３】図２の(３)−(３)線断面図。
【図４】折り畳み動作を示す工程図（ａ）〜（ｃ）。
【符号の説明】
【００１４】
１：掲示板
３：掲示部
４：載置部
５：支持部
６：ボルト
３１：枠部（掲示部）
３２：枠部（掲示部）
３３：レール部
３４：スライド部
３５：抜け止め板
３６：抜け止め板
４１：枠部（載置部）
４２：枠部（載置部）
【図１】
0003110499.tif 000003
【図２】
0003110499.tif 000004
【図３】
0003110499.tif 000005
【図４】
0003110499.tif 000006